(57)【要約】      （修正有）【課題】裏返しして着たとき、大幅なイメージチェンジを図ることができるリバーシブル衣服を提供する。【解決手段】リバーシブル衣服は、ニット製のワンピース１と、ニット製のロングカーディガン２（又はロングベスト）と、１枚のスカーフから切り取り夫々対応する部分にはぎ合わせた上記ワンピースの一方の面の前身頃３と略同形状のワンピース用スカーフ生地５と、上記ロングカーディガン（又はロングベスト）の一方の面の左側及び右側前身頃４ａ、４ｂと略同形状のロングカーディガン用スカーフ生地６ａ、６ｂ（又はロングベスト用スカーフ生地）とよりなり、各スカーフ生地は、それぞれ、縦方向において少なくとも６０ｃｍ以上の長さを有する。【選択図】図１
0003209987.tif 000002
【実用新案登録請求の範囲】
【請求項１】
ニット衣服の一面に、模様が描かれた１枚のスカーフから切り取られた、縦方向において少なくとも６０ｃｍ以上の長さのスカーフ生地がはぎ合わされたことを特徴とするリバーシブル衣服。
【請求項２】
上記ニット衣服は、ワンピース、又は、ロングカーディガン、又は、ロングベストであることを特徴とする請求項１に記載のリバーシブル衣服。
【請求項３】
ニット製のワンピースと、ニット製のロングカーディガン又はロングベストと、１枚のスカーフから切り取り夫々対応する部分にはぎ合わせた上記ワンピースの一方の面の前身頃と略同形状のワンピース用スカーフ生地と、上記ロングカーディガン又はロングベストの一方の面の左側及び右側前身頃と略同形状の左右のロングカーディガン用スカーフ生地又はロングベスト用スカーフ生地とよりなり、上記各スカーフ生地は、それぞれ、縦方向において少なくとも６０ｃｍ以上の長さのスカーフ生地であることを特徴とするリバーシブル衣服。
【請求項４】
上記ワンピースにはぎ合わせられるスカーフ生地の縦方向の長さと、上記ロングカーディガン又はロングベストにはぎ合わされるスカーフ生地の縦方向の長さが同じであることを特徴する請求項３に記載のリバーシブル衣服。
【請求項５】
上記ワンピース用スカーフ生地と、上記左右のロングカーディガン用スカーフ生地又は上記左右のロングカーディガン用スカーフ生地とを、上記ワンピースと、上記ロングカーディガン又は上記ロングベストにそれぞれはぎ合わせの位置は、上記１枚のスカーフの縦方向における所望の高さにおける上記ワンピース用スカーフ生地の生地部分の、上記ワンピースの肩部からの距離と、上記１枚のスカーフの縦方向の上記所望の高さにおける左右のロングカーディガン用スカーフ生地の生地部分又はロングベスト用スカーフ生地の生地部分の、上記ロングカーディガン又は上記ロングベストの肩部からの距離とが同じになるように、はぎ合わせることを特徴とする請求項３又は４に記載のリバーシブル衣服。
【請求項６】
上記ニット同士の接続部分及びニットとスカーフ生地の接続部分は夫々はぎ合わせにより仕上げられていることを特徴とする請求項１、２、３、４又は５記載のリバーシブル衣服。
【請求項７】
上記ニットのはぎ合わせた両縁部は、その縁部の目以外の目が増、減されていることを特徴とする請求項１、２、３、４、５又は６記載のリバーシブル衣服。
【考案の詳細な説明】
【技術分野】
【０００１】
本考案はリバーシブル衣服、特に、スカーフ生地を有するリバーシブルのワンピース、ロングカーディガン、又はロングベストに関するものである。
【背景技術】
【０００２】
従来、ニット製のリバーシブル衣服としては特許文献１がある。
【先行技術文献】
【特許文献】
【０００３】
【特許文献１】実開平１−１６８５７９号
【考案の開示】
【考案が解決しようとする課題】
【０００４】
然しながら、上記従来のリバーシブル衣服は裏返して着てもニット生地であるので、大幅なイメージチェンジを図るのには限界があった。
【０００５】
本考案は上記の欠点を除くようにしたものである。
【課題を解決するための手段】
【０００６】
本考案のリバーシブル衣服は、ニット衣服の一面に、模様が描かれた１枚のスカーフから切り取られた、縦方向において少なくとも６０ｃｍ以上の長さのスカーフ生地がはぎ合わされたことを特徴とする。
【０００７】
また、上記ニット衣服は、ワンピース、又は、ロングカーディガン、又は、ロングベストであることを特徴とする。
【０００８】
また、本考案のリバーシブル衣服は、ニット製のワンピースと、ニット製のロングカーディガン又はロングベストと、１枚のスカーフから切り取り夫々対応する部分にはぎ合わせた上記ワンピースの一方の面の前身頃と略同形状のワンピース用スカーフ生地と、上記ロングカーディガン又はロングベストの一方の面の左側及び右側前身頃と略同形状の左右のロングカーディガン用スカーフ生地又はロングベスト用スカーフ生地とよりなり、上記各スカーフ生地は、それぞれ、縦方向において少なくとも６０ｃｍ以上の長さのスカーフ生地であることを特徴とする。
【０００９】
また、上記ワンピースにはぎ合わせられるスカーフ生地の縦方向の長さと、上記ロングカーディガン又はロングベストにはぎ合わされるスカーフ生地の縦方向の長さが同じであることを特徴する。
【００１０】
また、上記ワンピース用スカーフ生地と、上記左右のロングカーディガン用スカーフ生地又は上記左右のロングカーディガン用スカーフ生地とを、上記ワンピースと、上記ロングカーディガン又は上記ロングベストにそれぞれはぎ合わせの位置は、上記１枚のスカーフの縦方向における所望の高さにおける上記ワンピース用スカーフ生地の生地部分の、上記ワンピースの肩部からの距離と、上記１枚のスカーフの縦方向の上記所望の高さにおける左右のロングカーディガン用スカーフ生地の生地部分又はロングベスト用スカーフ生地の生地部分の、上記ロングカーディガン又は上記ロングベストの肩部からの距離とが同じになるように、はぎ合わせることを特徴とする。
【００１１】
また、上記ニット同士の接続部分及びニットとスカーフ生地の接続部分は夫々はぎ合わせにより仕上げられていることを特徴とする。
【００１２】
また、上記ニットのはぎ合わせた両縁部は、その縁部の目以外の目が増、減されていることを特徴とする。
【考案の効果】
【００１３】
本考案のリバーシブル衣服においては、衣服の一方の面はニットであり、他方の面は模様のあるスカーフ生地をはぎ合わせているので、裏表で着替えることにより大幅なイメージチェンジを図ることができる。
【００１４】
また、１枚のスカーフのうち、一番デザインが良いとされる中央部を必ず含む範囲で、スカーフ生地を切り取るので、リバーシブル衣服の見た目が良くなるという大きな利益がある。
【００１５】
また、ワンピースにおいても、リバーシブル衣服を提供し、また、ロングカーディガン（又はロングベスト）を組み合わせることにより、ワンピースとロングカーディガン（又はロングベスト）とを同時に着たときに模様の統一を図ることができるようになり、ワンピースの見栄えがより一層良くなるようになる。
【００１６】
更に、両方着たときには、ワンピースとロングカーディガン（又はロングベスト）の生地のはぎ合わせ配置が、もとの１枚のスカーフのデザインに近づくため、見た目が良くなる。
【００１７】
また、接続部分をリバーシブル仕上げとしたので、服をリバーシブルとして利用しても見た目が良い。
【００１８】
また、増目部分同士ではぎ合わせないので見た目が良い。
【図面の簡単な説明】
【００１９】
【図１】本考案のリバーシブル衣服のワンピースと、ロングカーディガンの平面図である。
【図２】本考案のリバーシブル衣服のスカーフ生地を切り取るスカーフの説明用平面図である。
【図３】本考案のリバーシブル衣服の袖部分の編地の平面図である。
【図４】本考案のリバーシブル衣服の袖部分の斜視図である。
【図５】本考案のリバーシブル衣服の他の実施例のワンピースの平面図と背面図である。
【図６】本考案のリバーシブル衣服の他の実施例のスカーフ生地を切り取るスカーフの説明用平面図である。
【考案を実施するための最良の形態】
【００２０】
以下図面によって本考案の実施例を説明する。
【実施例１】
【００２１】
本考案のリバーシブル衣服においては、図１に示すように、同時に着ることが可能なシルクニット製の、上衣とスカートとが一緒につながった形状のワンピース１とロングカーディガン２（又はロングベスト）とを２点セットとし、上記ワンピース１の一方の面のワンピース前身頃３、上記ロングカーディガン２の左側及び右側前身頃４ａ、４ｂと略同形状のワンピース用スカーフ生地５、左側及び右側のカーディガン用スカーフ生地６ａ、６ｂを、図２に示す、例えば、模様が描かれた大判の７０ｃｍ〜９０ｃｍ四方の１枚のスカーフ７から切り取り、対応する部分にそれぞれはぎ合わせる。
【００２２】
また、図２に示すように、上記ワンピース用スカーフ生地５、左側カーディガン用スカーフ生地６ａ、右側カーディガン用スカーフ生地６ｂは、上記１枚のスカーフ７を横方向に３分割して形成された、それぞれ、縦方向（上下方向）において、少なくとも、６０ｃｍ以上の長さの短冊状のスカーフ生地からなり、上記スカーフ７の中央がワンピース用スカーフ生地５となり、例えば、上記スカーフ７の右側が上記左側カーディガン用スカーフ生地６ａとなり、上記スカーフ７の左側が右側カーディガン用スカーフ生地６ｂとなる。
【００２３】
なお、上記スカーフ７の右側を上記右側カーディガン用スカーフ生地とし、上記スカーフ７の左側を左側カーディガン用スカーフ生地としてもよい。
【００２４】
なお、上記ワンピース用スカーフ生地５、左側カーディガン用スカーフ生地６ａ、右側カーディガン用スカーフ生地６ｂの上端部、下端部、及び側端部の一部、又は全部は、上記ワンピース前身頃３、ロングカーディガン２の左側及び右側前身頃４ａ、４ｂの形状に応じて、適宜切り取られる。
【００２５】
また、図１及び図２に示すように、上記ワンピース用スカーフ生地５と、上記左右のロングカーディガン用スカーフ生地６ａ、６ｂとを、上記ワンピース１と、上記ロングカーディガン２にはぎ合わせる位置は、１枚のスカーフ７の縦方向（上下方向）の所望の高さｈにおける上記ワンピース用スカーフ生地５の生地部分Ａの、上記ワンピース１の肩部１ａからの距離Ｈと、上記１枚のスカーフ７の縦方向の上記所望の高さｈにおける左右のロングカーディガン用スカーフ生地６ａ、６ｂの生地部分Ｂの、上記ロングカーディガン２の肩部２ａからの距離Ｈ´とが同じになるように、上記ワンピース用スカーフ生地３と、上記左右のロングカーディガン用スカーフ生地６ａ、６ｂとが、それぞれ上記ワンピース１と上記ロングカーディガン２にはぎ合わされるようにする。
【００２６】
また、上記ニット同士の接続部分及びニットとスカーフ生地の接続部分ははぎ合せ（リバーシブル仕上げ）で仕上げる。
【００２７】
なお、上記各ニット衣服の、例えば袖部分などの袖口から肩口に向うにしたがってそのアームホールの径（内径）が徐々に拡大していく筒状部分を作る場合、図３に示すように、ニット８の袖口の１段目の目数を例えば１０１目として、平編みの一目ゴム編みで８段編んでいき、次に、９段の右縁の目から左に向って４目まで編み、５目までの間に２目だけ増目し、更にその増目から左側に向って編み、左縁の目から数えて４目と５目との間に２目だけ増目とする。
【００２８】
次に、１０段から１６段まで増目した１０５目として一目ゴム編みで編んでいき、１７段目からは更に上記のように、右縁の目から４目から５目までの間に２目だけ増目し、更に、その増目から左に向って編み、左縁の目から数えて４目と５目との間に２目だけ増目し、以下同様に、例えば８段ごとに肩口まで順次増目し拡大形状のニット１９を作成せしめる。
【００２９】
次に図４に示すように上記ニット８の両縁部９、９をはぎ合わせて筒状とし袖部分１０を作成せしめる。
【００３０】
本考案のリバーシブル衣服においては、衣服の一方の面はニットであり、他方の面は模様のあるスカーフ生地をはぎ合わせているので、裏表で着替えることにより大幅なイメージチェンジを図ることができる大きな利益がある。
【００３１】
また、多くのスカーフは、中央部のデザインが見栄えが良く、大判のスカーフの大きさは、７０ｃｍ〜９０ｃｍ四方の大きさであるので、そのうち縦方向の長さを６０ｃｍ以上とすれば、かならず、中央部分の含む生地となり、見栄えが良くなる。
【００３２】
また、ワンピースにおいても、リバーシブル衣服を提供し、また、ロングカーディガン（又はロングベスト）を組み合わせることにより、ワンピースとロングカーディガン（又はロングベスト）とを同時に着たときに模様の統一を図ることができるようになり、ワンピースの見栄えがより一層良くなるようになる。
【００３３】
また、ワンピースやロングカーディガン（又はロングベスト）のように縦方向に長い衣服において、大きくスカーフ生地をはぎ合わせたので、見栄えが良くなる。
【００３４】
また、両方着たときには、ワンピースとロングカーディガン（又はロングベスト）の生地の配置が、もとの１枚のスカーフのデザインに近づくため、見た目が良くなる。
【００３５】
また、接続部分をリバーシブル仕上げとしたので、服をリバーシブルとして利用しても見た目が良い。
【００３６】
また、増目部分同士ではぎ合わせないので見た目が良い。
【００３７】
また、上記実施例においてはニットの両端から数えて夫々４目部分から増目をしたが、ニットの両縁の目から夫々２目以上の部分から増目を行ってもよい。
【００３８】
また、増目ではなく、同様にして減目を行っても良い。
【００３９】
なお、図５及び図６に示すように、左右のロングカーディガン用生地６ａ、６ｂを、ロングカーディガン２にはぎ合わせる代わりに、上記ワンピース１の後見頃１１の左右にそれぞれはぎ合わせるようにしてもよい。
【００４０】
この場合でも、見栄えが良くなるようになる。
【符号の説明】
【００４１】
１      ワンピース
１ａ    肩部
２      ロングカーディガン
２ａ    肩部
３      ワンピース前身頃
４ａ    カーディガンの左側前身頃
４ｂ    カーディガンの右側前身頃
５      ワンピース用スカーフ生地
６ａ    左側カーディガン用スカーフ生地
６ｂ    右側カーディガン用スカーフ生地
７      スカーフ
８      ニット
９      両端部
１０    袖部分
１１    後見頃
【図１】
0003209987.tif 000003
【図２】
0003209987.tif 000004
【図３】
0003209987.tif 000005
【図４】
0003209987.tif 000006
【図５】
0003209987.tif 000007
【図６】
0003209987.tif 000008
【手続補正書】
【提出日】平成29年2月20日(2017.2.20)
【手続補正１】
【補正対象書類名】実用新案登録請求の範囲
【補正対象項目名】全文
【補正方法】変更
【補正の内容】
【実用新案登録請求の範囲】
【請求項１】
ニット衣服の一面に、模様が描かれた１枚のスカーフから切り取られた、縦方向において少なくとも６０ｃｍ以上の長さのスカーフ生地がはぎ合わされたことを特徴とするリバーシブル衣服。
【請求項２】
上記ニット衣服は、ワンピース、又は、ロングカーディガン、又は、ロングベストであることを特徴とする請求項１に記載のリバーシブル衣服。
【請求項３】
ニット製のワンピースと、ニット製のロングカーディガン又はロングベストと、１枚のスカーフから切り取り夫々対応する部分にはぎ合わせた上記ワンピースの一方の面の前身頃と略同形状のワンピース用スカーフ生地と、上記ロングカーディガン又はロングベストの一方の面の左側及び右側前身頃と略同形状の左右のロングカーディガン用スカーフ生地又はロングベスト用スカーフ生地とよりなり、上記各スカーフ生地は、それぞれ、縦方向において少なくとも６０ｃｍ以上の長さのスカーフ生地であることを特徴とするリバーシブル衣服。
【請求項４】
上記ワンピースにはぎ合わせられるスカーフ生地の縦方向の長さと、上記ロングカーディガン又はロングベストにはぎ合わされるスカーフ生地の縦方向の長さが同じであることを特徴する請求項３に記載のリバーシブル衣服。
【請求項５】
上記ワンピース用スカーフ生地と、上記左右のロングカーディガン用スカーフ生地又は上記左右のロングカーディガン用スカーフ生地とを、上記ワンピースと、上記ロングカーディガン又は上記ロングベストにそれぞれはぎ合わせの位置は、上記１枚のスカーフの縦方向における所望の高さにおける上記ワンピース用スカーフ生地の生地部分の、上記ワンピースの肩部からの距離と、上記１枚のスカーフの縦方向の上記所望の高さにおける左右のロングカーディガン用スカーフ生地の生地部分又はロングベスト用スカーフ生地の生地部分の、上記ロングカーディガン又は上記ロングベストの肩部からの距離とが同じになるように、はぎ合わせることを特徴とする請求項３又は４に記載のリバーシブル衣服。